(57)【要約】      （修正有）【課題】軟らかい誘導ブロックを提供する。【解決手段】エチレン酢酸ビニル共重合体とエチレンプロピレンゴムを主体とするポリマーを射出成形して架橋発砲させ、低発泡体の成型品である線状ブロック１、点状ブロック２としたことを特徴とする。誘導ブロックの表面に、蓄光顔料層を設け、誘導ブロックの裏面に、粘着剤層を設け、粘着剤層を離型紙で覆う。【選択図】図１
0003152628.tif 000002
【実用新案登録請求の範囲】
【請求項１】
エチレン酢酸ビニル共重合体とエチレンプロピレンゴムを主体とするポリマーを射出成形して架橋発泡させ、低発泡体の成型品である線状ブロック、点状ブロックとしたことを特徴とする視覚障害者誘導ブロック。
【請求項２】
誘導ブロックの表面に、蓄光顔料層を設けたことを特徴とする請求項１記載の視覚障害者誘導ブロック。
【請求項３】
誘導ブロックの裏面に、粘着剤層を設けたことを特徴とする請求項１又は２記載の視覚障害者誘導ブロック。
【請求項４】
粘着剤層を離型紙で覆ってあることを特徴とする請求項３記載の視覚障害者誘導ブロック。
【考案の詳細な説明】
【技術分野】
【０００１】
本考案は、視覚障害者を安全に誘導するための視覚障害者誘導ブロックに関し、さらに詳しくは、エチレン酢酸ビニル共重合体とエチレンプロピレンゴムを主体とするポリマーを射出成形して架橋発泡させることにより得られるものに関する。
【背景技術】
【０００２】
視覚障害者用の誘導ブロックは、通常、エチレンプロピレンゴムやスチレンブタジエンゴムを主成分としている（例えば、特許文献１参照）。
【０００３】
これに代わる素材として、エチレン酢酸ビニル共重合体樹脂を採用し、それをシート状にしたものも開発されている（例えば、特許文献２参照）。
【先行技術文献】
【特許文献】
【０００４】
【特許文献１】特開平３−１０５１１５号公報
【０００５】
【特許文献２】特開２００４−１９０４６２号公報
【考案の概要】
【考案が解決しようとする課題】
【０００６】
例えば特許文献１のエチレンプロピレンゴムやスチレンブタジエンゴムを主成分とする誘導ブロックは、Ｃ硬度で９０度程度と相当硬いので、視覚障害者が転んで怪我をするおそれがある。また、劣化しやすいという致命的欠点もある。
【０００７】
これに対して、例えば引用文献２のエチレン酢酸ビニル共重合体樹脂を用いる場合には、エチレンプロピレンゴムやスチレンブタジエンゴムを主成分とする場合に比べて軟らかくすることができるので、前記欠点のないものとなる。
【０００８】
この引用文献２に記載された誘導ブロックは、エチレン酢酸ビニル共重合体樹脂からなるベースシートに、加硫ゴム板からなる円筒状の点状突起を仮止めし、その上に別の厚みのエチレン酢酸ビニル共重合体樹脂製の帆布シートからなる黄色の保護シートを重ね、金型を用いて高周波ウエルダーで融着加工して製造されている（明細書の段落００１３、００１５参照）。したがって、製造工程が極めて複雑であり、結果的にコスト高となる。
【０００９】
本考案はこの欠点を解消するとともに、従来のエチレンプロピレンゴムやスチレンブタジエンゴムを主成分とする場合に比べて軟らかい誘導ブロックを提供できるようにするとともに、極めて簡単に誘導ブロックを得ることができるようにしたものである。
【課題を解決するための手段】
【００１０】
この目的を達成するために、本考案では、エチレン酢酸ビニル共重合体とエチレンプロピレンゴムを主体とするポリマーを射出成形して架橋発泡させ、低発泡体の成型品である誘導ブロックとする。この場合には、ポリマーの射出成形による架橋発泡という極めて簡単な工程により、軟らかく、かつ極めて軽い誘導ブロックを得ることができる。また、耐摩耗性、耐防滑性、耐寒性、耐候性、耐薬品性に優れているのみならず、屈曲に対しても強靭である。
【００１１】
誘導ブロックの表面に、蓄光顔料層を設けておくとよい。このようにした場合には、暗いところにおいても、誘導ブロックの表面を光らせることができるので、視覚健常者に対しても誘導可能である。
【００１２】
誘導ブロックの裏面に、粘着剤層を設けておくことが望ましい。この粘着剤層が設けられておれば、誘導ブロックを置くだけで容易に敷設・固定することができる。
【００１３】
粘着剤層を離型紙で覆っておくことが望ましい。粘着剤層が離型紙で覆われていると、普段は通常の板状物として誘導ブロックを取り扱うことができ、前記離型紙を剥がすだけで誘導ブロックを容易に設置することができる。
【考案の効果】
【００１４】
請求項１記載の考案によれば、ポリマーの射出成形による架橋発泡という極めて簡単な工程により、軟らかく、かつ極めて軽い誘導ブロックを得ることができる。また、耐摩耗性、耐防滑性、耐寒性、耐候性、耐薬品性に優れているのみならず、屈曲に対しても強靭である。
【００１５】
請求項２記載の考案によれば、暗いところにおいても、誘導ブロックの表面を光らせることができるので、視覚健常者に対しても誘導可能とすることができる。
【００１６】
請求項３記載の考案によれば、誘導ブロックを置くだけで容易に敷設・固定することができるので、誘導ブロックの敷設・固定に極めて便利である。
【００１７】
請求項４記載の考案によれば、普段は通常の板状物として誘導ブロックを取り扱うことができるので、極めて便利であり、また、前記離型紙を剥がすだけで誘導ブロックを容易に設置することができるので、誘導ブロックの敷設・固定を極めて容易に行うことができる。
【図面の簡単な説明】
【００１８】
【図１】本考案に係る視覚障害者誘導ブロックを示し、（ａ）は線状ブロックの一例を、（ｂ）は点状ブロックの一例を示す。
【図２】図１（ａ）に示す線状ブロックの一部を拡大して示す断面図である。
【図３】図１（ａ）に示す線状ブロックと図１（ｂ）に示す点状ブロックとを組み合わせた使用状態を示す平面図である。
【考案を実施するための形態】
【００１９】
本考案に係る視覚障害者誘導ブロックの一例を、図面に基づいて詳細に説明する。視覚障害者誘導ブロックの中には、図１(a)に示す線状ブロック１と、図１(b)に示す点状ブロック２とがあり、通常、図３に示すように両者を組み合わせて使用する。
【００２０】
線状ブロック１は、図１(a)に示すように、正方形の誘導ブロックの表面に複数の線状突起１ａ、１ａを互いに平行となるように形成した方向表示用のブロックで、主として、方向を示す場合に用いられる。線状突起１ａは１つの誘導ブロックに対して４本設けるように決められている。
【００２１】
また、点状ブロック２は、図１(b)に示す正方形の誘導ブロックの表面に複数の点状突起２ａ、２ａを形成した位置表示用のブロックで、主として、注意すべき位置や誘導すべき位置を示す場合に用いられる。点状突起２ａは１つの誘導ブロックに対して２５個設けるように決められている。
【００２２】
本考案においては、エチレン酢酸ビニル共重合体（ＥＶＡ）とエチレンプロピレンゴム（ＥＰＲ）に架橋剤、発泡剤、安定剤その他多種類の化学剤を混合し、発泡比率を百：百数十に設定したポリマーを特殊専用射出機械により２００℃程度の金型に高圧射出し、金型内で５〜７分程度架橋発泡させ、それを取り出した後、温度を下げかつ時間を短くする２段階の熱処理を施して収縮を安定させることにより、低発泡体の成形品である誘導ブロック（図１(a)の線状ブロック１と図１(b)の点状ブロック２と）を得ることができる。すなわち、前記ポリマーを射出成形して架橋発泡させるという極めて簡単な工程により、誘導ブロックの表面に平行な４本の線状突起１ａ、１ａを有する線状ブロック１と、誘導ブロックの表面に２５個の点状突起２ａ、２ａを有する点状ブロック２とを得ることができる。
【００２３】
このように、ポリマーの射出成形による架橋発泡という極めて簡単な工程により、比較的軟らかく、かつ極めて軽い線状ブロック１と点状ブロック２とを容易に得ることができる。また、耐摩耗性、耐防滑性、耐寒性、耐候性、耐薬品性に優れているのみならず、屈曲に対しても強靭である。屈曲試験については、１８０度の屈曲試験１０万回にも全く異常のない強靭なものとすることができる。線状ブロック１と点状ブロック２の表面をざらざらの状態にすると、より滑りにくいものとなる。
【００２４】
上述したように、エチレン酢酸ビニル共重合体（ＥＶＡ）とエチレンプロピレンゴム（ＥＰＲ）を主体とするポリマーを射出成形して架橋発泡させ、低発泡体の成型品である線状ブロック１と点状ブロック２とした場合には、線状、点状部分はＣ硬度で７５度程度、平面部分はＣ硬度で７０度程度と軟らかいものとなる。従来のエチレンプロピレンゴムやスチレンブタジエンゴムを主成分とする誘導ブロックがＣ硬度で９０度程度と相当硬いのに比べて、軟らかいものとなる。
【００２５】
なお、線状ブロック１形成用の金型の内面形状と点状ブロック２形成用の金型の内面形状は、両ブロック１、２の外面形状が異なることから、当然異なっており、それぞれの金型を用いて線状ブロック１と点状ブロック２を製造することができる。
【００２６】
ここには、図２に示すように、線状ブロック１の表面全体にわたって、蓄光顔料層３を設けた場合が例示されている。図示はしないが、点状ブロック２の表面にも全体にわたって、蓄光顔料層３を設けることができる。このようにした場合には、暗いところにおいても、線状ブロック１及び点状ブロック２の表面を光らせることができるので、視覚健常者に対しても誘導可能である。
なお、線状ブロック１及び点状ブロック２の表面全体に蓄光顔料層３をコーティングすれば、線状ブロック１及び点状ブロック２の表面全体にわたって、蓄光顔料層３を容易に設けることができる。
【００２７】
また、ここには、同じく図２に示すように、線状ブロック１の裏面全体にわたって、粘着剤層４を設けた場合が例示されている。図示はしないが、点状ブロック２の裏面にも全体にわたって、この粘着剤層４を設けることができる。両ブロック１、２の裏面に粘着剤層４が設けられておれば、それらを置くだけで線状ブロック１及び点状ブロック２を容易に敷設・固定することができる。
【００２８】
さらに、ここには、同じく図２に示すように、前記粘着剤層４を離型紙５で覆った場合が例示されている。粘着剤層４が離型紙５で覆われていると、普段は線状ブロック１及び点状ブロック２を通常の板状物として取り扱うことができ、線状ブロック１及び点状ブロック２を設置する際に前記離型紙５を剥がせば良い。前記離型紙５を剥がすだけで、線状ブロック１及び点状ブロック２を容易に敷設・固定することができる。
【符号の説明】
【００２９】
１…線状ブロック、１ａ…線状突起、２…点状ブロック、２ａ…点状突起、３…蓄光顔料層、４…粘着剤層、５…離型紙。
【図１】
0003152628.tif 000003
【図２】
0003152628.tif 000004
【図３】
0003152628.tif 000005